(57)【要約】【課題】同一地点における現在又は過去の地物画像データを効率良く検索できる地物画像データ表示装置を提供する。【解決手段】地物画像データ表示装置は、地図情報表示手段が地図情報を表示し、地図情報に対応する地物画像データを保持し、地物画像データの撮影日情報と、地物画像データに対応する位置情報と、上記地物画像データ識別情報とを関連付けた地物画像データ関連情報を保持する。そして、地物画像データ検索手段が指定された位置情報に関する位置条件及び指定された撮影日条件に合致する地物画像データについて地物画像データ関連情報を用いて検索し、地物画像データ表示手段が、検索した地物画像データを表示する。このように、地物画像データ表示装置は、当該地物画像データ関連情報を用いて位置条件及び撮影日条件に合致する地物画像データを検索するので効率良く地物画像データを検索することができる。【選択図】図１
2009009182.tif 000002
【特許請求の範囲】
【請求項１】
地図情報を表示する地図情報表示手段と、
前記地図情報に対応する地物画像データを保持する地物画像データ保持手段と、
前記地物画像データの撮影日情報と、前記地物画像データに対応する位置情報と、前記地物画像データ識別情報とを関連付けた地物画像データ関連情報保持手段と、
指定された位置情報に関する位置条件及び指定された撮影日情報に関する撮影日条件に合致する地物画像データについて前記地物画像データ関連情報を用いて検索する地物画像データ検索手段と、
前記地物画像データ検索手段が検索した前記地物画像データを表示する地物画像データ表示手段と、
を備えることを特徴とする地物画像データ表示装置。
【請求項２】
前記地物画像データ検索手段は、前記位置条件に合致する地物画像データを検索準備状態にし、前記検索準備状態である地物画像データのうち、前記撮影日条件に合致する地物画像データを検索することを特徴とする請求項１に記載の地物画像データ表示装置。
【請求項３】
前記地物画像データ検索手段は、前記位置条件に合致する地物画像データのうち、内容が重複する地物画像データを排除した地物画像データについて検索準備状態にすることを特徴とする請求項２に記載の地物画像データ表示装置。
【請求項４】
前記検索準備状態の地物画像データの撮影日に関する情報を表示する準備状態撮影日表示手段をさらに備えることを特徴とする請求項２又は３に記載の地物画像データ表示装置。
【請求項５】
前記位置条件は、前記位置情報が指定された位置の所定範囲内に含まれていることを条件とすることを特徴とする請求項１乃至４のいずれか一項に記載の地物画像データ表示装置。
【請求項６】
前記地物画像データ表示手段は、前記地物画像データの撮影日情報及び前記地物画像データに対応する位置情報を表示することを特徴とする請求項１乃至５のいずれか一項に記載の地物画像データ表示装置。
【請求項７】
地図情報を表示する地図情報表示工程と、
前記地図情報に対応する地物画像データを保持する地物画像データ保持工程と、
前記地物画像データの撮影日情報と、前記地物画像データに対応する位置情報と、前記地物画像データ識別情報とを関連付けた地物画像データ関連情報保持工程と、
指定された位置情報に関する位置条件及び指定された撮影日情報に関する撮影日条件に合致する地物画像データについて前記地物画像データ関連情報を用いて検索する地物画像データ検索工程と、
前記地物画像データ検索手段が検索した前記地物画像データを表示する地物画像データ表示工程と、
を備えることを特徴とする地物画像データ表示方法。
【請求項８】
コンピュータを備える装置によって実行される地物画像データ表示プログラムであって、
地図情報を表示する地図情報表示手段と、
前記地図情報に対応する地物画像データを保持する地物画像データ保持手段と、
前記地物画像データの撮影日情報と、前記地物画像データに対応する位置情報と、前記地物画像データ識別情報とを関連付けた地物画像データ関連情報保持手段と、
指定された位置情報に関する位置条件及び指定された撮影日情報に関する撮影日条件に合致する地物画像データについて前記地物画像データ関連情報を用いて検索する地物画像データ検索手段と、
前記地物画像データ検索手段が検索した前記地物画像データを表示する地物画像データ表示手段、として前記コンピュータを機能させることを特徴とする地物画像データ表示プログラム。
【請求項９】
請求項８に記載の地物画像データ表示プログラムを記憶したことを特徴とする記憶媒体。
【発明の詳細な説明】
【技術分野】
【０００１】
本発明は、地物画像データを表示する技術に関する。
【背景技術】
【０００２】
従来から、地図情報を表示する装置において、当該地図情報の位置の風景を撮影した画像データ（以下、地物画像データとも呼ぶ）を提供する装置がある。なお、上記装置は、同一位置について現時点の地物画像データだけでなく、過去の地物画像データも保持していると、利用者が現時点と過去の地物画像データを比較することが可能となるため、現在の風景と利用者の記憶の風景とが異なっている場合でも、利用者が場所を誤認識する可能性を軽減することができる。
【０００３】
ところで、撮影画像データと共に撮影日時情報及び撮影場所情報を１つの撮影画像ファイルに保持し、撮影日時情報又は撮影場所のいずれかを検索キーとして、保持している撮影画像ファイルを検索し、検索した結果得られた画像データを一覧表示するオンラインアルバムシステムがある（例えば、特許文献１参照）。
【０００４】
上記のオンラインアルバムは、所定の場所における過去の画像データを表示することができる。従って、利用者は、所定の場所の風景がどのように変化したかを視覚的に認識できる。
【０００５】
【特許文献１】特開２００５−３３９２１４号公報
【発明の開示】
【発明が解決しようとする課題】
【０００６】
しかし、特許文献１に記載のオンラインアルバムシステムでは、表示対象の撮影画像データを特定するために各画像データファイルにアクセスして、撮影日時情報や撮影場所情報を参照する必要があるため、検索効率が必ずしも良くないという問題点があった。
【０００７】
本発明が解決しようとする課題としては、上記のものが例として挙げられる。本発明の目的は、同一地点における現在又は過去の地物画像データを効率良く検索できる地物画像データ表示装置を提供することにある。
【課題を解決するための手段】
【０００８】
請求項１に記載の発明は、地物画像データ表示装置であって、地図情報を表示する地図情報表示手段と、前記地図情報に対応する地物画像データを保持する地物画像データ保持手段と、前記地物画像データの撮影日情報と、前記地物画像データに対応する位置情報と、前記地物画像データ識別情報とを関連付けた地物画像データ関連情報保持手段と、指定された位置情報に関する位置条件及び指定された撮影日情報に関する撮影日条件に合致する地物画像データについて前記地物画像データ関連情報を用いて検索する地物画像データ検索手段と、前記地物画像データ検索手段が検索した前記地物画像データを表示する地物画像データ表示手段と、を備えることを特徴とする。
【０００９】
請求項７に記載の発明は、地物画像データ表示方法であって、地図情報を表示する地図情報表示工程と、前記地物画像データの撮影日情報と、前記地物画像データに対応する位置情報と、前記地物画像データ識別情報とを関連付けた地物画像データ関連情報保持工程と、指定された位置情報に関する位置条件及び指定された撮影日情報に関する撮影日条件に合致する地物画像データについて前記地物画像データ関連情報を用いて検索する地物画像データ検索工程と、前記地物画像データ検索手段が検索した前記地物画像データを表示する地物画像データ表示工程と、を備えることを特徴とする。
【００１０】
請求項８に記載の発明は、コンピュータを備える装置によって実行される地物画像データ表示プログラムであって、地図情報を表示する地図情報表示手段と、前記地図情報に対応する地物画像データを保持する地物画像データ保持手段と、前記地物画像データの撮影日情報と、前記地物画像データに対応する位置情報と、前記地物画像データ識別情報とを関連付けた地物画像データ関連情報保持手段と、指定された位置情報に関する位置条件及び指定された撮影日情報に関する撮影日条件に合致する地物画像データについて前記地物画像データ関連情報を用いて検索する地物画像データ検索手段と、前記地物画像データ検索手段が検索した前記地物画像データを表示する地物画像データ表示手段、として前記コンピュータを機能させることを特徴とする。
【発明を実施するための最良の形態】
【００１１】
本発明の好適な実施形態では、地物画像データ表示装置は、地図情報を表示する地図情報表示手段と、前記地図情報に対応する地物画像データを保持する地物画像データ保持手段と、前記地物画像データの撮影日情報と、前記地物画像データに対応する位置情報と、前記地物画像データの情報とを関連付けた地物画像データ関連情報保持手段と、指定された位置情報に関する位置条件及び指定された撮影日情報に関する撮影日条件に合致する地物画像データについて前記地物画像データ関連情報を用いて検索する地物画像データ検索手段と、前記地物画像データ検索手段が検索した前記地物画像データを表示する地物画像データ表示手段と、を備える。
【００１２】
上記の地物画像データ表示装置は、具体的には、カーナビゲーション装置や、パーソナルコンピュータであり、各種地図表示システムに適用することが可能である。地物画像データ表示装置では、地図情報表示手段が地図情報を表示し、上記地図情報に対応する地物画像データを保持し、地物画像データの撮影日情報と、地物画像データに対応する位置情報と、上記地物画像データ識別情報とを関連付けた地物画像データ関連情報を保持する。なお、地物画像データ識別情報とは、地物画像データを識別できる識別子や地物画像データを含むファイルの保存先情報等である。
【００１３】
そして、地物画像データ検索手段が指定された位置情報に関する位置条件及び指定された撮影日条件に合致する地物画像データについて地物画像データ関連情報を用いて検索し、地物画像データ表示手段が、検索した地物画像データを表示する。
【００１４】
このように、地物画像データ表示装置は、地物画像データ関連情報を保持し、当該地物画像データ関連情報を用いて、位置条件及び撮影日条件に合致する地物画像データを検索するので、地物画像データを含むファイルの属性情報を参照して表示対象の地物画像データを検索する場合に比して効率良く地物画像データを検索することができる。
【００１５】
上記の地物画像データ表示装置の一態様では、前記地物画像データ検索手段は、前記位置条件に合致する地物画像データを検索準備状態にし、前記検索準備状態である地物画像データのうち、前記撮影日条件に合致する地物画像データを検索する。
【００１６】
ここで、検索準備状態とは、地物画像データ表示装置におけるＲＡＭ（Ｒａｎｄｏｍ  Ａｃｃｅｓｓ  Ｍｅｍｏｒｙ）等のいわゆるメモリで所定の地物画像データを保持することをいう。この場合、地物画像データ表示装置は、位置が指定されると、当該位置に関する位置条件に合致する地物画像データをメモリで保持する。そして、地物画像データ表示装置は、撮影日が指定されると、当該撮影日に関する撮影日条件に合致する地物画像データを検索準備状態の地物画像データから検索し、撮影日条件に合致する地物画像データを表示する。
【００１７】
このように、地物画像データ表示装置は、撮影日が指定される前に、位置条件に合致する地物画像データをメモリで保持しているので、撮影日が指定されてから地物画像データを高速に検索することができる。また、地物画像データ表示装置は、ある撮影日条件に合致する地物画像データを表示した後に別の撮影日が指定された場合でも、撮影日条件に合致する地物画像データを高速に検索することができる。
【００１８】
上記の地物画像データ表示装置の一態様では、前記地物画像データ検索手段は、前記位置条件に合致する地物画像データのうち、重複する地物画像データを排除した地物画像データについて検索準備状態にする。
【００１９】
この場合、地物画像データ表示装置の地物画像データ検索手段は、位置条件に合致する地物画像データに対して画像解析を行い、同一風景が撮影された地物画像データがあるか否かを判定し、同一風景の地物画像データがある場合、当該地物画像データを検索準備状態の対象から外す。これにより、地物画像データ表示装置は、同一内容の地物画像データについてメモリで保持することがないため、重複した地物画像データを保持する場合に比して、メモリの領域の無駄な浪費を避けることができる。
【００２０】
上記の地物画像データ表示装置の一態様では、前記検索準備状態の地物画像データの撮影日に関する情報を表示する準備状態撮影日表示手段をさらに備える。これによれば、地物画像データ提供装置が検索準備状態の地物画像データの撮影日を表示するので、指定位置に対応する地物画像データの撮影日を利用者に対して視覚的に認知させることができる。
【００２１】
上記の地物画像データ表示装置の一態様では、前記位置条件は、前記位置情報が指定された位置の所定範囲内に含まれていることを条件とする。この場合、地物画像データ表示装置は、利用者が指定した位置だけでなく、利用者が指定した位置付近の地物画像データについても検索することができる。
【００２２】
前記地物画像データ表示手段は、前記地物画像データの撮影日情報及び前記地物画像データに対応する位置情報を表示する。この場合、地物画像データ表示装置は、利用者に対して、地物画像データのみ表示するより多くの有用な情報を表示することができる。
【００２３】
本発明の他の観点では、地物画像データ表示方法は、地図情報を表示する地図情報表示工程と、前記地図情報に対応する地物画像データを保持する地物画像データ保持工程と、前記地物画像データの撮影日情報及び前記地物画像データに対応する位置情報を、前記地物画像データと関連付けた地物画像データ関連情報保持工程と、指定された位置情報に関する位置条件及び指定された撮影日情報に関する撮影日条件に合致する地物画像データについて前記地物画像データ関連情報を用いて検索する地物画像データ検索工程と、前記地物画像データ検索手段が検索した前記地物画像データを表示する地物画像データ表示工程と、を備える。
【００２４】
上記の方法によっても、地物画像データ関連情報を保持し、当該地物画像データ関連情報を用いて、位置条件及び撮影日条件に合致する地物画像データを検索するので、地物画像データを含むファイルの属性情報を参照して表示対象の地物画像データを検索する場合に比して効率良く地物画像データを検索することができる。
【００２５】
本発明の他の観点では、コンピュータを備える装置によって実行される地物画像データ表示プログラムであって、地図情報を表示する地図情報表示手段と、前記地図情報に対応する地物画像データを保持する地物画像データ保持手段と、前記地物画像データの撮影日情報及び前記地物画像データに対応する位置情報を、前記地物画像データと関連付けた地物画像データ関連情報保持手段と、指定された位置情報に関する位置条件及び指定された撮影日情報に関する撮影日条件に合致する地物画像データについて前記地物画像データ関連情報を用いて検索する地物画像データ検索手段と、前記地物画像データ検索手段が検索した前記地物画像データを表示する地物画像データ表示手段、として前記コンピュータを機能させる。このプログラムを、コンピュータ上で実行することにより、上記の地物画像データ表示装置を実現することができる。なお、この地物画像データ表示プログラムは、記録媒体に記録した状態で好適に取り扱うことができる。
【実施例】
【００２６】
以下、図面を参照して本発明の好適な実施例について説明する。
【００２７】
［地物画像データ提供装置］
図１に、本発明の実施例に係る地物画像データ表示装置１の構成を示す。地物画像データ表示装置１は、地物画像データ及び当該地物画像データの付加情報（撮影日情報や緯度経度情報等）を記憶した地物画像ファイルを保持しており、表示中の地図情報から指定された位置情報及び地物画像データの撮影日に基づいて、検索した地物画像データを表示する装置である。地物画像データ提供装置１は、実体的には、パーソナルコンピュータやナビゲーション装置より構成される。
【００２８】
地物画像データ表示装置１は、図示のように、制御部２０と、記憶部３６と、入力装置４０と、表示装置６０とを備える。記憶部３６は、ハードディスク等であり、地図情報ＤＢ１２０と、複数の地物画像ファイル１５０と、地物画像関連情報ＤＢ１６０とを保持する。制御部２０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を含んでおり、地図情報表示部１０１と、表示対象地物画像データ検索部１０２と、検索準備状態情報表示部１０３と、地物画像データ表示部１０４とを備える。即ち、制御部２０が所定のプログラムを実行することにより、地図情報表示部１０１と、表示対象地物画像データ検索部１０２と、検索準備状態情報表示部１０３と、地物画像データ表示部１０４とを実現する。
【００２９】
地図情報ＤＢ１２０は、地図情報が格納されているデータベースである。地物画像ファイル１５０は、地物画像データ１４０及び当該地物関連データ１４０に関する情報を含むファイルである。ここで、地物画像ファイル１５０のファイル構造を図２に示す。
【００３０】
地物画像ファイル１５０は、地物画像データ記憶領域１５１と付加情報記憶領域１５２とを有し、地物画像データ記憶領域１５１には、地物画像データ１４０が記憶され、付加情報記憶領域には、撮影位置を示す緯度経度情報１４３や撮影日情報１４４等の付加情報１４１が記憶される。なお、本実施例における地物画像ファイル１５０のファイル形式は、Ｅｘｉｆ（Ｅｘｃｈａｎｇｅ  Ｉｍａｇｅ  Ｆｉｌｅ  Ｆｏｒｍａｔ）形式とする。
【００３１】
地物画像関連情報ＤＢ１６０は、地物画像データ１４０に関連する情報である地物画像データ関連情報１６１を保持するデータベースである。ここで、地物画像データ関連情報１６１のデータ構造例を図３（ａ）に示す。
【００３２】
図３（ａ）に示すように、地物画像データ関連情報１６１は、地物画像データ１４０の識別子や地物画像データ１４０を含む地物画像ファイル１５０の保存先等を示す地物画像データ識別情報１３５と、当該地物画像データ１４０を撮影した位置を示す緯度経度情報１４３と、地物画像データ１４０を撮影した日付を示す撮影日情報１４４とを含む。
【００３３】
地物画像データ表示装置１は、上記のような地物画像データ関連情報１６１に対して、緯度経度情報１４３及び撮影日情報１４４で検索することにより、図３（ｂ）に示すマトリックス表のように地物画像データ識別情報１３５を特定することができる。即ち、地物画像データ表示装置１は、地物画像データ関連情報１６１に対して、緯度経度情報１４３及び撮影日情報１４４で検索することにより、地物画像データ１４０を特定することが可能となる。地図情報表示部１０１は、地図情報ＤＢ１２０から地図情報を取得し、当該地図情報を表示装置６０へ表示する。
【００３４】
表示対象地物画像データ検索部１０２は、指定された位置情報に関する位置条件及び指定された撮影日情報に関する撮影日条件に合致する地物画像データ１４０を検索する。
【００３５】
具体例について図４を用いて説明する。図４（ａ）に示すように、緯度経度情報１４３の値がＩ１又はＩ２であり、撮影日情報１４４がＴ１又はＴ２である地物画像データ１４０Ａ〜地物画像データ１４０Ｄがある。なお、上記地物画像データ１４０Ａ〜地物画像データ１４０Ｄについて、地物画像データ１４０の識別情報等を含む地物画像データ識別情報１３５と緯度経度情報１４３と撮影日情報１４４とを関連付けた地物画像データ関連情報１６１が地物画像関連情報ＤＢ１６０に格納されているものとする。
【００３６】
最初に利用者の入力操作により位置情報が指定されたことに基づいて「緯度経度情報１４３がＩ１である」という位置条件に合致する地物画像データ１４０の検索命令を検知した場合、表示対象地物画像データ検索部１０２は、図４（ｂ）に示すように、緯度経度情報１４３がＩ１に対応する地物画像データ１４０Ａ及び地物画像データ１４０Ｃを検索し、当該地物画像データ１４０Ａ及び地物画像データ１４０Ｃを制御部２０へ送出する（以降、位置条件に合致する地物画像データ１４０が制御部２０に保持されている状態を検索準備状態とも呼ぶ）。
【００３７】
そして、利用者の入力操作により、「撮影日情報１４４がＴ１である」という撮影日条件に合致する地物画像データ１４０の検索命令を検知すると、表示対象地物画像データ検索部１０２は、検索準備状態の地物画像データ１４０から地物画像データ１４０Ａを検索し、当該地物画像データ１４０Ａを表示対象地物画像データに決定する。
【００３８】
このように、表示対象地物画像データ検索部１０２が位置条件に合致する地物画像データ１４０を制御部２０で保持させる。そして、地物画像データ表示装置１は、表示対象地物画像データ検索部１０２が撮影日条件に合致する地物画像データ１４０を検索準備状態の地物画像データ１４０から検索することにより、記憶部３６から地物画像データ１４０を検索する場合に比して効率良く地物画像データ１４０を検索することができる。
【００３９】
検索準備状態表示部１０３は、検索準備状態の地物画像データ１４０の情報を表示する。具体例として、検索準備状態表示部１０３は、地図情報を表示する画面の所定領域に、検索準備状態の地物画像データ１４０の撮影日時に関する情報を表示する。
【００４０】
地物画像データ表示部１０４は、表示対象地物画像データ検索部１０２が検索した表示対象地物画像データ１４０を表示装置上の地図情報表示画面に表示する。
【００４１】
入力装置４０は、利用者が各種メニュー等の選択・決定を行う手段である。具体的には、キーボードやマウス等である。表示装置６０は、ディスプレイ等であり、各種データを表示する。
【００４２】
以上の構成を有する本実施例においては、記憶部３６が地物画像データ保持手段及び地物画像データ関連情報保持手段として機能し、表示対象地物画像データ検索部１０２が地物画像データ検索手段として機能し、検索準備状態情報表示部１０３が準備状態撮影日表示手段として機能する
［地図表示画面及び地物画像データ表示の概要］
次に、図５を用いて、地図表示画面及び地物画像データ表示についての概要を説明する。図５（ａ）に示すように地図情報表示画面１９０は、表示対象の地物画像データ１４０の撮影日を表示する撮影日表示領域１９１と、地図情報を表示する地図情報表示領域１９４と、地物画像データ１４０を表示する地物画像データ表示領域１９５と、表示対象の地物画像データ１４０の付加情報１４１を表示する付加情報表示領域１９６とを有する。そして、地図情報表示画面１９０は、撮影日表示領域１９１内に、撮影日を指定するための撮影日指定マーカ１９３を有する。
【００４３】
利用者の入力操作により、地図情報表示領域１９４内の位置指定及び撮影日表示領域１９１内の撮影日指定マーカ１９３の移動による撮影日指定がされると、地物画像データ表示装置１は、地図情報表示領域１９４内で指定された位置に関する位置条件と、撮影日表示領域１９１内で指定された撮影日に関する撮影日条件とに合致する地物画像データ１４０を検索する。
【００４４】
そうすると、図５（ｂ）に示すように、地物画像データ表示装置１は、地図情報表示領域１９４内で位置指定された個所に位置指定マーカ１９３を表示し、撮影日表示領域１９１内で撮影日指定された個所に確定状態の撮影日指定マーカ１９２を表示する。そして、地物画像データ表示装置１は、上記位置条件及び撮影日条件に合致する地物画像データ１４０を地物画像データ表示領域１９５に表示し、当該地物画像データ１４０に対応する付加情報１４１を付加情報表示領域１９６に表示する。
【００４５】
（第１実施例）
［地物画像データ表示方法］
ここで、第１実施例における地物画像データ表示方法について図６に示す地図情報表示画面１９０の画面遷移図を用いて説明する。第１実施例における地物画像データ提供方法とは、利用者の入力操作によって地図上の位置が指定された後に、撮影日が指定された場合の地物画像データ提供方法である。
【００４６】
図６（ａ）に示すように、地物画像データ表示装置１は、指定位置Ｐ１が指定されたことを検知すると、表示対象地物画像データ検索部１０２は、「指定位置Ｐ１と緯度経度情報１４３が同一」という位置条件（以下、第１位置条件とも呼ぶ）に合致する地物画像データ関連情報１６１を地物画像関連情報ＤＢ１６０から検索し、上記位置条件に合致する地物画像データ関連情報１６１がない場合、「緯度経度情報１４３が指定位置Ｐ１を中心とした位置範囲１９８に含まれる」という位置条件（以下、第２位置条件とも呼ぶ）に合致する地物画像データ関連情報１６１を地物画像関連情報ＤＢ１６０から検索する。
【００４７】
表示対象地物画像データ検索部１０２は、上記第１位置条件又は上記第２位置条件に合致する地物画像データ関連情報１６１を検索した場合、当該地物画像データ関連情報１６１の地物画像データ識別情報１３５に対応する地物画像データ１４０、当該地物画像データ１４０に対応する緯度経度情報１４３、及び撮影日情報１４４を制御部２０へ送出することにより、当該地物画像データ１４０を検索準備状態とする。
【００４８】
そして、表示対象地物画像データ検索部１０２は、地物画像データ１４０に対して画像解析処理を行い、制御部２０へ送出した地物画像データ１４０の内、他の地物画像データ１４０と内容が重複する地物画像データ１４０を検索準備状態の対象から排除する。
【００４９】
次に、検索準備状態情報表示部１０３は、撮影日表示領域１９１における、検索準備状態の地物画像データ１４０の撮影日に対応する個所に、地物画像データ存在時期情報１９７を表示する。検索準備状態情報表示部１０３が地物画像データ存在時期情報１９７を表示している例を図６（ｂ）に示す。
【００５０】
そして、利用者の入力操作により、撮影日指定マーカ１９２が地物画像データ存在時期情報１９７の位置に移動すると、表示対象地物画像データ検索部１０２は、検索準備状態の地物画像データ１４０から、撮影日情報１４４が当該地物画像データ存在時期情報１９７の時期と同一である地物画像データ１４０を検索する。
【００５１】
そして、地物画像データ表示部１０４は、図６（ｃ）に示すように、上記表示対象地物画像データ検索部１０２が検索した表示対象地物画像データ１４０を地物画像データ表示領域１９５に表示し、当該表示対象地物画像データ１４０の付加情報（緯度経度情報１４３や撮影日情報１４４）１４１を付加情報表示領域１９６に表示する。
【００５２】
このように、地物画像データ表示装置１は、地物画像データ関連情報１６１を用いて位置条件及び撮影日条件に合致する地物画像データ１４０を検索し、当該地物画像データ１４０を表示している。従って、地物画像データ表示装置１は、地物画像データ１４０を含む地物画像ファイル１５０の付加情報１４１を参照して表示対象の地物画像データ１４０を検索する場合に比して効率良く地物画像データ１４０を検索することができる。
【００５３】
［地物画像データ表示処理手順］
ここで、第１実施例における地物画像データ提供処理の処理手順について、図７に示すフローチャートを用いて説明する。この処理は、地物画像データ表示装置１内の制御部２０が、予め用意されたプログラムを実行することにより実現される。
【００５４】
まず、地物画像データ表示装置１は、利用者の入力操作により、地図情報表示領域１９４内の所定の位置が指定されると（ステップＳ１）、表示対象地物画像データ検索部１０２は、「緯度経度情報１４３が指定された位置と同一である」という第１位置条件に合致する地物画像データ関連情報１６１を検索し（ステップＳ２）、上記位置条件に合致する地物画像データ関連情報１６１がある場合（ステップＳ３；Ｙｅｓ）、ステップＳ６へ移動する。
【００５５】
そして、表示対象地物画像データ検索部１０２は、上記第１位置条件に合致する地物画像データ関連情報１６１がない場合（ステップＳ３；Ｎｏ）、「緯度経度情報１４３が指定された位置の所定範囲内（例えば、半径１００メートル以内等）である」という第２位置条件に合致する地物画像データ関連情報１６１を検索する（ステップＳ４）。そして表示対象地物画像データ検索部１０２は、上記第２位置条件に合致する地物画像データ関連情報１６１が得られなかった場合（ステップＳ５；Ｎｏ）、地物画像データ提供処理を終了し、上記第２位置条件に合致する地物画像データ関連情報１６１が得られた場合（ステップＳ５；Ｙｅｓ）、ステップＳ６へ移動する。
【００５６】
そして、表示対象地物画像データ検索部１０２は、上記第１位置条件又は上記第２位置条件に合致する地物画像データ関連情報１６１に対応する地物画像データ１４０を制御部２０（ＲＡＭ等）へ送り、制御部２０で上記地物画像データ１４０を保持するようにする。これにより、上記地物画像データ１４０が検索準備状態となる（ステップＳ６）。
【００５７】
そして、表示対象地物画像データ検索部１０２は、上記検索準備状態である地物画像データ１４０に対して画像解析処理を行い、同一の地物画像データ１４０の有無を判定する。表示対象地物画像データ検索部１０２は、同一の地物画像データ１４０がある場合、当該地物画像データ１４０を制御部２０から排除する（ステップＳ７）。
【００５８】
そして、検索準備状態情報表示部１０３は、上記準備状態である地物画像データ１４０の撮影日情報１４４に基づいて、地物画像データ存在時期情報１９７を表示する（ステップＳ８）。
【００５９】
そして、表示対象地物画像データ検索部１０２は、利用者の入力操作により撮影日指定マーカ１９２が地物画像データ存在時期情報１９７へ移動し、撮影日が指定されたことを検知すると（ステップＳ９）、上記撮影日指定マーカ１９２が移動した地物画像データ存在時期情報１９７の撮影日情報１４４に対応する地物画像データ１４０を準備状態である地物画像データ１４０から検索する（ステップＳ１０）。なお、表示対象地物画像データ検索部１０２が検索した地物画像データ１４０が表示対象の地物画像データ１４０となる。
【００６０】
そして、地物画像データ表示部１０４は、上記表示対象地物画像データ１４０及び付加情報１４１を表示し（ステップＳ１１）、地物画像データ提供処理を終了する。
【００６１】
（第２実施例）
［地物画像データ表示方法］
次に、第２実施例における地物画像データ提供方法について、図８に示す地図情報表示画面１９０の画面遷移図を用いて説明する。第２実施例における地物画像データ提供方法とは、利用者の入力操作によって撮影日が指定された後に、地図上の位置が指定された場合の地物画像データ提供方法である。
【００６２】
図８（ａ）に示すように、地物画像データ表示装置１は、利用者の入力操作によって撮影日指定マーカ１９２の位置が移動し、撮影日が指定されたことを検知すると、表示対象地物画像データ検索部１０２は、「撮影日情報１４４が撮影日指定マーカ１９２に対応する撮影日であり、緯度経度情報１４３が表示中の地図に含まれている」という撮影日条件に合致する地物画像データ関連情報１６１を地物画像関連情報ＤＢ１６０から検索する。
【００６３】
表示対象地物画像データ検索部１０２は、上記撮影日条件に合致する地物画像データ関連情報１６１を検索した場合、図８（ｂ）に示すように、地図情報表示領域１９４内で、当該地物画像データ関連情報１６１の緯度経度情報１４３に対応する位置に位置指定マーカ１９３を表示する。
【００６４】
そして、表示対象地物画像データ検索部１０２は、利用者の入力操作により、上記位置指定マーカ１９３が指定されると、「緯度経度情報１４３が位置指定マーカ１９３の位置である」という位置条件に合致する地物画像データ関連情報１６１を検索する。
【００６５】
表示対象地物画像データ検索部１０２は、上記位置条件に合致する地物画像データ関連情報１６１を検索した場合、当該地物画像データ関連情報１６１の地物画像データ識別情報１３５に対応する地物画像データ１４０、当該地物画像データ１４０に対応する緯度経度情報１４３、及び撮影日情報１４４を制御部２０へ送出することにより、当該地物画像データ１４０を検索準備状態とする。
【００６６】
なお、表示対象地物画像データ検索部１０２は、地物画像データ１４０に対して画像解析処理を行い、制御部２０へ送出した地物画像データ１４０の内、他の地物画像データ１４０と内容が重複する地物画像データ１４０を検索準備状態の対象から排除する。
【００６７】
そして、検索準備状態情報表示部１０３は、撮影日表示領域１９１における、検索準備状態の地物画像データ１４０の撮影日に対応する個所に、地物画像データ存在時期情報１９７を表示する。
【００６８】
そして、表示対象地物画像データ検索部１０２は、検索準備状態の地物画像データ１４０から指定された撮影日に対応する地物画像データ１４０を検索する。なお、ここで検索した地物画像データ１４０が表示対象の地物画像データ１４０になる。
【００６９】
そして、地物画像データ表示部１０４は、図８（ｃ）に示すように、上記表示対象地物画像データ検索部１０２が検索した表示対象地物画像データ１４０を地物画像データ表示領域１９５に表示し、当該表示対象地物画像データ１４０の付加情報１４１（緯度経度情報１４３や撮影日情報１４４）を付加情報表示領域１９６に表示する。
【００７０】
このように、地物画像データ表示装置１は、第１実施例と同様に、地物画像データ関連情報１６１を用いて位置条件及び撮影日条件に合致する地物画像データ１４０を検索し、当該地物画像データ１４０を表示している。従って、第２実施例においても地物画像データ表示装置１は、地物画像データ１４０を含む地物画像ファイル１５０の付加情報１４１を参照して表示対象の地物画像データ１４０を検索する場合に比して効率良く地物画像データ１４０を検索することができる。
【００７１】
［地物画像データ表示処理手順］
ここで、第２実施例における地物画像データ提供処理の処理手順について、図９に示すフローチャートを用いて説明する。この処理は、地物画像データ表示装置１内の制御部２０が、予め用意されたプログラムを実行することにより実現される。
【００７２】
まず、表示対象地物画像データ検索部１０２は、利用者の入力操作により撮影日指定マーカ１９２が移動し、撮影日が指定されたことを検知すると（ステップＳ２１）、「撮影日情報１４４が撮影日指定マーカ１９２に対応する撮影日であり、緯度経度情報１４３が表示中の地図に含まれている」という撮影日条件に合致する地物画像データ関連情報１６１を地物画像関連情報ＤＢ１６０から検索する（ステップＳ２２）。
【００７３】
そして、表示対象地物画像データ検索部１０２は、上記撮影日条件に合致する地物画像データ関連情報１６１がない場合（ステップＳ２３；Ｎｏ）、地物画像データ提供処理を終了し、上記撮影日条件に合致する地物画像データ関連情報１６１が得られた場合（ステップＳ２３；Ｙｅｓ）、ステップＳ２４へ移動する。
【００７４】
そして、上記撮影日条件に合致する地物画像データ１４０がある場合、地図情報表示部１０１は、上記撮影日条件に合致する地物画像データ１４０の緯度経度情報１４３の位置に位置指定マーカ１９３を表示する（ステップＳ２４）。
【００７５】
そして、利用者の入力操作により位置指定マーカ１９３が指定されると（ステップＳ２５）、表示対象地物画像データ検索部１０２は、「緯度経度情報１４３が指定された位置指定マーカ１９３の位置と同一である」という位置条件に合致する地物画像データ関連情報１６１に対応する地物画像データ１４０を制御部２０（ＲＡＭ等）へ送り、制御部２０で上記地物画像データ１４０を保持するようにする。これにより、上記地物画像データ１４０が検索準備状態となる（ステップＳ２６）。
【００７６】
そして、表示対象地物画像データ検索部１０２は、上記検索準備状態である地物画像データ１４０に対して画像解析処理を行い、同一内容の地物画像データ１４０の有無を判定し、同一の地物画像データ１４０がある場合、当該地物画像データ１４０を制御部２０から排除する（ステップＳ２７）。
【００７７】
そして、検索準備状態情報表示部１０３は、上記検索準備状態である地物画像データ１４０の撮影日情報１４４に基づいて、地物画像データ存在時期情報１９７を表示する（ステップＳ２８）。
【００７８】
そして、表示対象地物画像データ検索部１０２は、上記検索準備状態である地物画像データ１４０の中から、撮影日情報１４４が撮影日指定マーカ１９２に対応する撮影日である地物画像データ１４０を検索する（ステップＳ２９）。なお、ここで表示対象地物画像データ検索部１０２が検索した地物画像データ１４０が表示対象の地物画像データ１４０となる。
【００７９】
そして、地物画像データ表示部１０４は、上記表示対象地物画像データ１４０及び付加情報１４１を表示し（ステップＳ３０）、地物画像データ提供処理を終了する。
【００８０】
以上述べたように、地物画像データ表示装置１は、地図情報を表示する地図情報表示手段と、地図情報に対応する地物画像データを保持する地物画像データ保持手段と、地物画像データの撮影日情報と、地物画像データに対応する位置情報と、地物画像データ識別情報とを関連付けた地物画像データ関連情報保持手段と、指定された位置情報に関する位置条件及び指定された撮影日情報に関する撮影日条件に合致する地物画像データについて地物画像データ関連情報を用いて検索する地物画像データ検索手段と、地物画像データ検索手段が検索した地物画像データを表示する地物画像データ表示手段と、を備える。
【００８１】
このように、地物画像データ表示装置は、地物画像データ関連情報を保持し、当該地物画像データ関連情報を用いて、位置条件及び撮影日条件に合致する地物画像データを検索するので、地物画像データを含むファイルの属性情報を参照して表示対象の地物画像データを検索する場合に比して効率良く地物画像データを検索することができる。
【００８２】
また、地物画像データ表示装置１の表示対象地物画像データ検索部１０２は、位置条件に合致する地物画像データ１４０を検索準備状態にし、検索準備状態である地物画像データ１４０のうち、撮影日時条件に合致する地物画像データ１４０を検索している。
【００８３】
このように、表示対象地物画像データ検索部１０２は、位置条件に合致する地物画像データ１４０を制御部２０へ送出し、当該地物画像データ１４０を保持している。
【００８４】
これにより、地物画像データ表示装置１は、撮影日が指定された後、撮影日条件に合致する地物画像データ１４０について、制御部２０（ＲＡＭ等）で保持している地物画像データ１４０から検索すれば、位置条件及び撮影日条件に合致する地物画像データ１４０を検索することができる。この場合、地物画像データ表示装置１は、撮影日条件に合致する地物画像データ１４０について、記憶部３６で保持している地物画像データ１４０ではなく、制御部２０で保持している地物画像データ１４０から検索しているので、記憶部３６の地物画像データ１４０から検索する場合に比して高速に地物画像データ１４０を検索することができる。そして、地物画像データ表示装置１は、表示中の地物画像データ１４０と同一の地点で、別の撮影日の地物画像データ１４０を表示する際、既に制御部２０で当該地物画像データ１４０を保持しているので、再度検索し直して記憶部３６から地物画像データ１４０を読み出す場合に比して、高速に地物画像データ１４０を表示することができる。
【００８５】
また、地物画像データ表示装置１の表示対象地物画像データ検索部１０２は、位置条件に合致する地物画像データ１４０のうち、内容が重複する地物画像データ１４０を排除した地物画像データについて検索準備状態にする。これにより、地物画像データ表示装置１は、同一内容の地物画像データ１４０を制御部２０に保持することがないため、制御部２０の保持領域の浪費を回避することができる。
【００８６】
地物画像データ表示装置１の検索準備状態情報表示部１０３は、検索準備状態の地物画像データ１４０の撮影日に関する情報である、地物画像データ存在時期情報１９７を表示している。これにより、指定位置に対応する地物画像データ１４０の撮影日を利用者に対して視覚的に認知させることができる。
【００８７】
第１実施例における地物画像データ表示装置１の表示対象地物画像データ検索部１０２は、「緯度経度情報１４３が指定位置Ｐ１を中心とした位置範囲１９８に含まれる」という位置条件に合致する地物画像データ１４０を検索している。これにより、地物画像データ表示装置１は、利用者が指定した位置付近の地物画像データ１４０についても検索することができる。
【００８８】
地物画像データ表示部１０４は、地物画像データの撮影日情報１４４及び地物画像データに対応する緯度経度情報１４３を表示する。これにより、地物画像データ表示装置１は、利用者に対して地物画像データ１４０のみ表示するより多くの有用な情報を表示することができる。
【００８９】
上記の実施例では、撮影日指定マーカ１９２が地物画像データ存在時期情報１９７の位置に移動すると、表示対象地物画像データ検索部１０２は、検索準備状態の地物画像データ１４０から、撮影日情報１４４が当該地物画像データ存在時期情報１９７の時期と同一である地物画像データ１４０を検索する場合について述べたが、本発明は、これに限られず、検索した結果、撮影日に対応する地物画像データ１４０がない場合、直近の地物画像データ１４０を表示するようにしても良い。
【００９０】
上記の実施例では、指定された位置と同一の緯度経度情報１４３を有する地物画像データ関連情報１６１を検索し、地物画像データ関連情報１６１が得られなかった場合に、緯度経度情報１４３が指定された位置から所定範囲内である地物画像データ関連情報１６１を検索する場合について述べたが、本発明は、これに限られず、最初から緯度経度情報１４３が指定された位置から所定範囲内である地物画像データ関連情報１６１を検索するようにしても良い。
【００９１】
上記の実施例では、表示対象地物画像データ検索部１０２が表示対象の地物画像データ１４０を検索する際に、同一地点の地物画像データ１４０について同一内容の地物画像データ１４０があるか否かを判定する場合について述べたが、本発明はこれに限られず、地物画像データ１４０を保存する時点で、同一内容の地物画像データ１４０があるか否かを判定しておく等、種々のタイミングで、同一内容の地物画像データ１４０の有無の判定をするようにしても良い。
【００９２】
上記の実施例では、地物画像データ表示装置１は、位置条件に合致する地物画像データ１４０を検索準備状態にする場合について述べたが、本発明は、これに限られず、位置条件及び撮影日条件が同時に指定された場合、地物画像データ１４０を検索準備状態にすることなく、位置条件及び撮影日条件に合致する地物画像データ１４０を表示するようにしても良い。
【図面の簡単な説明】
【００９３】
【図１】地物画像データ表示装置の概略構成を示すブロック図である。
【図２】地物画像ファイルのファイル構造を示す図である。
【図３】地物画像データ関連情報のデータ構造を示す図である。
【図４】地物画像データ関連情報検索の説明に用いる図である。
【図５】地図表示画面を示す図である。
【図６】第１実施例における地図表示画面の画面遷移図である。
【図７】第１実施例における地物画像データ表示処理のフローチャートである。
【図８】第２実施例における地図表示画面の画面遷移図である。
【図９】第２実施例における地物画像データ表示処理のフローチャートである。
【符号の説明】
【００９４】
１  地物画像データ表示装置
１０１  地図情報表示部
１０２  表示対象地物画像データ検索部
１０３  検索準備状態情報表示部
１０４  地物画像データ表示部
１２０  地図情報ＤＢ
１５０  地物画像ファイル
１６０  地物画像関連情報ＤＢ
【図１】
2009009182.tif 000003
【図２】
2009009182.tif 000004
【図３】
2009009182.tif 000005
【図４】
2009009182.tif 000006
【図５】
2009009182.tif 000007
【図６】
2009009182.tif 000008
【図７】
2009009182.tif 000009
【図８】
2009009182.tif 000010
【図９】
2009009182.tif 000011